(57)【要約】【課題】低コストでコネクタ接合部を確実に保護することができるコネクタカバーを備えた遊技機を提供する。【解決手段】ベース部材１０と第一カバー部材２０からなるコネクタカバー１Ａを装着したコネクタ接栓５０を第一挿通孔６３に挿通させ、コネクタ接栓５０を第一コネクタ接栓座４０に嵌合するとともに、ベース部材１０と第二カバー部材３０からなるコネクタカバーを装着したコネクタ接栓５１を第二挿通孔７３に挿通させ、コネクタ接栓５１を第二コネクタ接栓座４１に嵌合することにより、コネクタ接栓５０，５１がコネクタ接栓座４０，４１から取り外し不能となり、第一及び第二挿通孔６３，７３がコネクタカバー１により閉塞される。【選択図】図６
2012120558.tif 000002
【特許請求の範囲】
【請求項１】
箱状の基板ケースの内部に回路基板を収納した複数の基板ユニットを備え、前記基板ユニットとして、回路基板としての第一基板を第一基板ケースに収納した第一基板ユニットと、回路基板としての第二基板を第二基板ケースに収納した第二基板ユニットとを少なくとも備えた遊技機であって、
前記第一基板ユニットは、前記第一基板に取り付けられるとともに前記第一基板ケースに開口された第一挿通孔から外部に露出する第一コネクタ接栓座を少なくとも備え、
前記第二基板ユニットは、前記第二基板に取り付けられるとともに前記第二基板ケースに開口された第二挿通孔から外部に露出する第二コネクタ接栓座を少なくとも備え、
前記第一基板と前記第二基板とを電気的に接続するためのハーネスの両端部に連結され、前記第一コネクタ接栓座及び前記第二コネクタ接栓座にそれぞれ嵌合されるコネクタ接栓と、前記コネクタ接栓の周囲を覆って当該コネクタ接栓を保護するコネクタカバーとを有している遊技機において、
前記コネクタカバーは、ベース部材と、ベース部材との間にコネクタ接栓を挟持した状態で前記ベース部材に取り外し不能に固定されるカバー部材とから構成され、
前記カバー部材として、前記第一基板ケースに用いる第一カバー部材と、前記第二基板ケースに用いる第二カバー部材とを設け、
前記ベース部材と前記第一カバー部材からなるコネクタカバーを装着したコネクタ接栓を、前記第一挿通孔に挿通させ、前記コネクタ接栓を前記第一コネクタ接栓座に嵌合させることにより、前記コネクタ接栓が前記第一コネクタ接栓座から取り外し不能になるとともに前記第一挿通孔が前記コネクタカバーによって閉塞され、
前記ベース部材と前記第二カバー部材からなるコネクタカバーを装着したコネクタ接栓を、前記第二挿通孔に挿通させ、前記コネクタ接栓を前記第二コネクタ接栓座に嵌合させることにより、前記コネクタ接栓が前記第二コネクタ接栓座から取り外し不能になるとともに前記第二挿通孔が前記コネクタカバーによって閉塞されるように形成されていることを特徴とする遊技機。
【発明の詳細な説明】
【技術分野】
【０００１】
この発明は、回路基板を収納した基板ケースを備えた遊技機に関するものである。
【背景技術】
【０００２】
従来、スロットマシンなどの遊技機においては、回路基板にハーネスを接続するコネクタが不正に着脱されるのを防ぐため、コネクタ部分をカバーで覆うことが行われている。例えば、特許文献１には、基板側に設けられるコネクタ接栓座とハーネス側に設けられるコネクタ接栓が係合部によって係合固定される場合に、その係合を解除するための操作部をいったん操作したときには、その痕跡が残るようにしたコネクタの引き抜き制限装置が開示されている。
【先行技術文献】
【特許文献】
【０００３】
【特許文献１】特開２００３−３２５９１０号公報
【発明の概要】
【発明が解決しようとする課題】
【０００４】
ここで、基板とハーネスをつなぐコネクタ接栓は、基本的に同じ型式品を使用するものであるが、基板ケースに設けられるコネクタ挿通口は用途や仕様により様々である。従って、コネクタ接続部に不正着脱防止のための保護部材を装着する場合には、コネクタ接栓の型式形状が同じであっても、コネクタ挿通口に合わせた保護部材の部品を用意しなければならず、コストが嵩むという問題点があった。
そこで、本発明は、型式形状が同じコネクタ接栓に用いるコネクタカバーを、基板ケースのコネクタ挿入口が異なる場合でも共通して使用可能とし、低コストでコネクタ接合部を確実に保護することができるコネクタカバーを備えた遊技機を提供することを目的とする。
【課題を解決するための手段】
【０００５】
上記した目的を達成するため、本発明は、以下のような構成を有している。なお、括弧内の符号は本発明の実施の形態において用いられている符号であり、本発明の技術的範囲を限定するものではない。
（請求項１）
請求項１記載の発明は、箱状の基板ケースの内部に回路基板を収納した複数の基板ユニット(7)を備え、前記基板ユニットとして、回路基板としての第一基板（メイン基板100）を第一基板ケース（メイン基板ケース60）に収納した第一基板ユニット（メイン基板ユニット7A）と、回路基板としての第二基板（サブ基板110）を第二基板ケース（サブ基板ケース70）に収納した第二基板ユニット（サブ基板ユニット7B）とを少なくとも備えた遊技機であって、前記第一基板ユニット(7A)は、前記第一基板(100)に取り付けられるとともに前記第一基板ケース(60)に開口された第一挿通孔（コネクタ挿通孔63）から外部に露出する第一コネクタ接栓座（サブ用コネクタ接栓座40）を少なくとも備え、前記第二基板ユニット(7B)は、前記第二基板(110)に取り付けられるとともに前記第二基板ケース(70)に開口された第二挿通孔（コネクタ挿通孔73）から外部に露出する第二コネクタ接栓座（メイン用コネクタ接栓座41）を少なくとも備え、前記第一基板(100)と前記第二基板(110)とを電気的に接続するためのハーネス(80)の両端部に連結され、前記第一コネクタ接栓座(40)及び前記第二コネクタ接栓座(41)にそれぞれ嵌合されるコネクタ接栓(メイン用コネクタ接栓50、サブ用コネクタ接栓51)と、前記コネクタ接栓(50,51)の周囲を覆って当該コネクタ接栓(50)を保護するコネクタカバー(1)とを有している遊技機に係る。
【０００６】
本発明に係る遊技機は、例えば複数の回転リール(6A)を備えたスロットマシン(S)とすることができ、上記構成の他にも、回転リール(6A)を回転開始させるためのスタートスイッチ(5C)や、回転リール(6A)の回転を停止させるためのストップスイッチ(5D)や、メダルを払い出すホッパーユニット(8)などを備えていてもよい。
「回路基板」は、例えば、回転リール(6A)の作動を制御するメイン基板(100)や演出を制御するサブ基板(110)とすることができるが、リールユニット(6)の作動を制御するリール基板や操作スイッチ等の操作信号をメイン基板(100)に出力する中継基板などであってもよい。「回路基板」は複数あってもよく、各回路基板にコネクタ接栓座が複数設けられていてもよい。
【０００７】
また、本発明においては、前記コネクタカバー(1)は、ベース部材(10)と、ベース部材(10)との間にコネクタ接栓(50,51)を挟持した状態で前記ベース部材(10)に取り外し不能に固定されるカバー部材とから構成され、前記カバー部材として、前記第一基板ケース(60)に用いる第一カバー部材（メインカバー部材20）と、前記第二基板ケース(70)に用いる第二カバー部材（サブカバー部材30）とが設けられている。そして、前記ベース部材(10)と前記第一カバー部材(20)からなるコネクタカバー(1)を装着したコネクタ接栓(50)を、前記第一挿通孔(63)に挿通させ、前記コネクタ接栓(50)を前記第一コネクタ接栓座(40)に嵌合させることにより、前記コネクタ接栓(50)が前記第一コネクタ接栓座(40)から取り外し不能になるとともに前記第一挿通孔(63)が前記コネクタカバー(1)によって閉塞され、前記ベース部材(10)と前記第二カバー部材(30)からなるコネクタカバー(10)を装着したコネクタ接栓(51)を、前記第二挿通孔(73)に挿通させ、前記コネクタ接栓(51)を前記第二コネクタ接栓座(41)に嵌合させることにより、前記コネクタ接栓(51)が前記第二コネクタ接栓座(41)から取り外し不能になるとともに前記第二挿通孔(73)が前記コネクタカバー(1)によって閉塞されるように形成されていることを特徴とする。
【０００８】
ここで、ベース部材(10)とカバー部材が「取り外し不能に固定される」とは、双方の部材に設けられた係合部（係止爪15）と被係合部（開口部25）とが係合することにより、いずれかの部品を破壊しない限り前記係合が外れないように形成されていることを含むものである。また、コネクタ接栓(50,51)がコネクタ接栓座(40,41)から「取り外し不能になる」とは、双方に設けられたコネクタロック機構（例えばロック爪と係止部）がロックされた状態となる異を含むものである。
本発明によれば、コネクタカバー(1)を装着したコネクタ接栓(50,51)を基板ケース(7)の挿通孔(63,73)に嵌め込むと、コネクタカバー(1)によってコネクタ接栓(50,51)とコネクタ接栓座(40,41)の固定部分（コネクタロック機構）が解除操作不能となり、かつコネクタの挿入口(63,73)が閉塞されるので、コネクタの不正な着脱を防ぐことができる。そして、コネクタカバー(1)は、共通のベース部材(10)に各基板ケースのコネクタ挿入口の形状に合わせたカバー部材を組み合わせて使用するようにしてあるので、コネクタ挿入口の形状に応じて全体形状を変更するのに比べて、コネクタカバー(1)の製造コストを抑制することができる。
【０００９】
ところで、本発明において、前記ベース部材(10)と前記カバー部材(20,30)は、前記カバー部材(20,30)を破壊することにより固定解除できるように形成するのが好ましい。例えば、ベース部材(10)には係止部(係止爪15)を設け、カバー部材(20,30)には係止部(15)を係止するための被係止部（開口部25,35）を設ける。この被係止部(25,35)は、カバー部材(20,30)の変形し難い箇所、例えば２つの片の当接部付近に設け、係止部(15)はその被係止部(25,35)にカバー内部側から係止可能となる位置に設ける。そして、ベース部材(10)には、係止部(15)を変形もしくは移動不能とする補強部材（例えば係止部(15)の内側に形成されたリブ(14)）を設け、カバー部材(20,30)を破壊しない限り係止部(15)が被係止部(25,35)から外れないように形成する。このように形成することにより、１回の使用で破壊されず、かつ補強部材により強度的にも補強されたベース部材(10)の再使用が可能となり、さらなるコスト削減を図ることができる。
【発明の効果】
【００１０】
本発明は、以上のように構成されているので、型式形状が同じコネクタ接栓に用いるコネクタカバーを、基板ケースのコネクタ挿入口が異なる場合でも共通して使用可能とし、低コストでコネクタ接合部を確実に保護可能なコネクタカバーを備えた遊技機を提供することができる。
【図面の簡単な説明】
【００１１】
【図１】本発明の実施の形態であって、遊技機としてのスロットマシンの外観正面図である。
【図２】前扉を開いたスロットマシンの正面図である。
【図３】メイン基板ケースの正面斜視図である。
【図４】サブ基板ケースの正面斜視図である。
【図５】メイン基板ケースのコネクタ接続部の断面図である。
【図６】サブ基板ケースのコネクタ接続部の断面図である。
【図７】ベース部材の斜視図である。
【図８】メインカバー部材の斜視図である。
【図９】ベース部材とメインカバー部材の組立斜視図である。
【図１０】ベース部材とメインカバー部材の組立状態の断面図である。
【図１１】サブカバー部材の斜視図である。
【図１２】ベース部材とサブカバー部材の組立斜視図である。
【図１３】ベース部材とサブカバー部材の組立状態の断面図である。
【図１４】ベース部材の変形例を示す図である。
【発明を実施するための形態】
【００１２】
本発明の好適な実施の形態を、遊技機としてスロットマシンを例に、図面に基づき説明する。
（スロットマシンS）
スロットマシンSは、図１に示すように、箱形の筐体2の正面側に板状の前扉3を開閉自在に取り付け、筐体2の内部には、図２に示すように、３個の回転リール6Aを有するリールユニット6、メダルを貯留するとともに払い出すためのホッパーユニット8、スロットマシンSの作動を制御するための制御装置として機能する基板ユニット7、電源ユニットを収納固定した構成となっている。
【００１３】
前記前扉3は、特に図示しないヒンジを介して、筐体2の正面開口を開閉自在に取り付けられており、図１に示すように、高さ方向の中央部は、スロットマシンSの操作に関わる操作スイッチ等が設けられた操作部5となっている。そして、操作部5の上方には、回転リール6Aを正面側から視認可能な図柄表示窓90を有する正面パネル3Aが設けられている。また、操作部5の下方には、スロットマシンSの機種に応じたキャラクター等を表示した下パネル3Bが設けられている。さらに、下パネル3Bの下方であって前扉3の下部には、ホッパーユニット8から払い出されたメダルを排出するメダル払い出し口3Eと、メダル払い出し口3Eから排出されたメダルを貯留可能な下皿3Dが形成されている。
【００１４】
また、前扉3には、遊技に伴う種々の演出を行わせるための演出装置9が設けられている。演出装置9としては、前扉3の周囲に配置されたランプ9A、下皿3Dの奥壁に設けられたスピーカ9B、正面パネル3Aの上方に配置された液晶表示装置9Cが設けられている。
前記操作部5としては、メダルを投入するためのメダル投入口5A、クレジットとして貯留されているメダルを投入メダルに代えるためのベットスイッチ5B、回転リール6Aの回転を開始させるためのレバー状のスタートスイッチ5C、回転リール6Aの回転を個々に停止させるための３個のボタンスイッチからなるストップスイッチ5D、クレジットされているメダルを払い戻すための精算スイッチ5Eが設けられている。
【００１５】
また、図２に示すように、前扉3の裏側には、前記メダル投入口5Aから投入されたメダルを検出するためのメダルセレクター4が内蔵されている。
前記基板ユニット7は、ＩＣ等の各種電子部品を搭載した回路基板と、この回路基板を収納するための基板ケースとから構成されている。前記基板ユニット7としては、メイン基板ユニット7Aと、サブ基板ユニット7Bが設けられている。
メイン基板ユニット7Aは、リールユニット6の上方に配置されており、メイン基板ケース60内にメイン基板100を収納したものである（図３、図５参照）。メイン基板100は、ＣＰＵ、ＲＯＭ、ＲＡＭ等、種々の電子部品を備えた回路基板であり、ＣＰＵがＲＯＭに記憶されたプログラムを読み込むことで、スロットマシンSの遊技を制御する主制御装置として機能する。なお、メイン基板ユニット7Aの構成の詳細については後述する。
【００１６】
サブ基板ユニット7Bは、前扉3の裏面上方に配置されており、サブ基板ケース70内にサブ基板110を収納したものである（図４、図６参照）。サブ基板110にも、特に図示しないが、ＣＰＵ、ＲＯＭ、ＲＡＭ等の電子部品が搭載されており、メイン基板100からの入力信号に基づき、ＣＰＵがＲＯＭに記憶されたプログラムを読み込むことで、演出表示装置の作動を制御するための副制御装置として機能する。
また、メイン基板100及びサブ基板110は、図２に示すように、ハーネス80によって電気的に接続されている。そして、ハーネス80のコネクタ接続間部分には、コネクタが不正に引き抜かれないよう保護するためのコネクタカバー1が設けられている。コネクタカバー1の詳細については後述する。
【００１７】
（スロットマシンSの作動の概略）
上記構成を有するスロットマシンSは、１回の遊技において最大３枚のメダルを掛ける（ベットする）ことができるとともに、メダル投入口5Aから投入されたメダルを最大５０枚までクレジットとして貯留可能に形成されている。メダルがクレジットされている場合には、図示しないクレジット表示部にその数値が表示され、ベットスイッチ5Bを操作する度に１〜３の所定の数がクレジット表示部の表示から減算され、その枚数のメダルがベットされたものとみなされるようになっている。
そして、スタートスイッチ5Cの操作に基づき、役抽選が行われると共に、回転リール6Aが回転開始する。回転リール6Aの回転中に、対応するストップスイッチ5Dを操作することにより、回転リール6Aが回転停止する。そして、３個の回転リール6Aが全て停止したとき、各回転リール6Aの当選役を構成する図柄が当選役に応じた配列で表示された場合には、ホッパー装置から役に応じた枚数のメダルが払い出されたり、ボーナスゲームなどの有利遊技に移行するように形成されている。
【００１８】
（メイン基板ユニット7A）
メイン基板ユニット7Aは、図３及び図５に示すように、大きく分けて、メイン基板ケース60とメイン基板100とから構成されている。そして、メイン基板ケース60は、メイン基板100を固定する背面ケース62と、背面ケース62に固定されメイン基板100を覆う正面ケース61とを備えている。
前記メイン基板100には、特に図示しない電子部品が実装されているともに、メイン側コネクタ接栓50を介してサブ基板110と電気的に接続するためのハーネス80を装着するサブ用コネクタ接栓座40が設けられている。また、前記正面ケース61には、前記サブ用コネクタ接栓座40に対応する位置に、コネクタ挿通孔63が形成されている。すなわち、コネクタ挿通孔63は、メイン基板ケース60の前面に形成されている。そして、メイン基板100を固定した背面ケース62に正面ケース61を装着すると、コネクタ挿通孔63からサブ用コネクタ接栓座40が露出するようになっている。サブ用コネクタ接栓座40には、ハーネス80の先端に設けられたメイン側コネクタ接栓50が嵌合される。
【００１９】
なお、コネクタ接栓座としては、サブ用コネクタ接栓座40の他に、電源基板に接続するための電源用コネクタ接栓座、中継基板に接続するための中継用コネクタ接栓座、リール基板に接続するためのリール用コネクタ接栓座などが設けられており、正面ケース61には各コネクタ接栓座に対応したコネクタ挿通孔が形成されているとともに、各コネクタ接栓座にはコネクタ接栓が装着されるようになっているが、ここでは説明を省略する。
（サブ基板ユニット7B）
サブ基板ユニット7Bは、図４及び図６に示すように、大きく分けて、サブ基板ケース70とサブ基板110とから構成されている。そして、サブ基板ケース70は、サブ基板110を固定する背面ケース62と、背面ケース62に固定されサブ基板110を覆う正面ケース61とを備えている。
【００２０】
前記サブ基板110には、特に図示しない電子部品が実装されているともに、サブ側コネクタ接栓51を介してサブ基板110と電気的に接続するためのハーネス80を装着するメイン用コネクタ接栓座41が設けられている。メイン用コネクタ接栓座41はサブ基板110の端部に設けられているとともに、コネクタ接栓を嵌合するための開口部が側方に向いて形成されている。そして、前記正面ケース71には、前記メイン用コネクタ接栓座41に対応する位置に、コネクタ挿通孔73が形成されている。すなわち、コネクタ挿通孔73は、サブ基板ケース70の側面に形成されている。そして、サブ基板110を固定した背面ケース72に正面ケース71を装着すると、コネクタ挿通孔73からメイン用コネクタ接栓座41が露出するようになっている。メイン用コネクタ接栓座41には、ハーネス80の先端に設けられたサブ側コネクタ接栓51が嵌合される。
【００２１】
なお、メイン側コネクタ接栓50とサブ側コネクタ接栓51は、同一形状に形成されている。
（コネクタカバー1）
次に、コネクタカバー1の詳細を説明する。
コネクタカバー1は、図２に示すように、メイン基板ユニット7Aに装着されるメイン用カバー1Aと、サブ基板ユニット7Bに装着されるサブ用カバー1Bとから構成されている。メイン用カバー1Aは、図３及び図５に示すように、ベース部材10と、メインカバー部材20を有している。また、サブ用カバー1Bは、図４及び図６に示すように、ベース部材10と、サブカバー部材30を有している。
【００２２】
ここで、本実施の形態においては、ベース部材10は、メイン用カバー1Aとサブ用カバー1Bに共通して使用するものとなっている。
（ベース部材10）
ベース部材10は、図７に示すように、前板11と、底板12と、２つの側板13と、側板13の間に形成された２つのリブ14を備えている。なお、図７（Ａ）はベース部材10を後方上側から見た斜視図であり、図７（Ｂ）はベース部材10を前方下側から見た斜視図である。
前記前板11には、図７（Ｂ）に示すように、中央に切欠部11Aが形成されている。また、前記各側板13には、側板13の表面よりも内側（リブ14側）に凹んだ段部13Aが形成されている。前記各リブ14は、前記底板12の上面から立設された板状の部材であり、それぞれ前板11と平行に形成されている。また、各リブ14には、上端を台形に切り欠いた切欠部14Aが形成されている。前記底板12の上面後端部には、後方に張り出す舌片12Aが形成されているとともに、舌片12Aの前方には、横方向（側板方向）に伸びる突条12Bが形成されている。
【００２３】
前記各側板13の段部13Aの上端部中央には、側方に突出する係止爪15が設けられている。また、段部13Aの下端部には、前板11と連続する突部13Bと、段部13Aを挟んで突部13Bと並列する突部13Cが形成されている。
ベース部材10は、メイン用コネクタ接栓50又はサブ用コネクタ接栓51のハーネス縁部に設けられた突起50A、51A（図５、６参照）を、前記突条12Bに引っかけた状態でメイン用コネクタ接栓50又はサブ用コネクタ接栓51をセットすると、各コネクタ接栓に接続されたハーネス80を、リブ14の切欠部14Aを通して前板11の切欠部11Aから導出することができるようになっている。
【００２４】
（メインカバー部材20）
メインカバー部材20は、図８に示すように、前板21と、上板22と、２つの側板23とを備えている。なお、図８（Ａ）はメインカバー部材20を後方上側から見た斜視図であり、図８（Ｂ）はメインカバー部材20を前方下側から見た斜視図であり、図８（Ｃ）はメインカバー部材20を後方下側から見た斜視図である。
前記前板21には、図８（Ｂ）に示すように、中央に切欠部21Aが形成されている。また、上板22の後方両端部には、図８（Ａ）に示すように、上板22の表面よりも下側に凹んだ段部22Aが形成されているとともに、段部22A及び上板22の後端部を切り欠いた切欠部22Bが形成されている。さらに、上板22の裏面には、図８（Ｂ）（Ｃ）に示すように、複数の突起24が形成されている。突起24としては、切欠部22Bの両端縁部に形成された２つの突起24Aと、上板22裏面の前方角隅部に形成された２つの突起24Cと、突起24Cと前後方向に並列し段部22Aの前方側に形成された２つの突起24Bとが設けられている。
【００２５】
また、前記各側板23の上端部には、相対向する方形の開口部25が形成されているとともに、各側板23には、側板23の下端部矩形に切り欠いた切欠部23Aが形成されている。
以上のように形成されたメインカバー部材20をベース部材10と組み合わせることによって、メイン用カバー1Aが完成する。すなわち、メインカバー部材20をベース部材10の上から被せると、図９に示すように、ベース部材10の側板13の段部13Aにメインカバー部材20の側板23の前側が嵌り込み、メインカバー部材20の側板23の切欠部23Aにベース部材10の側板13の突部13Cが噛み合うとともに、ベース部材10の係止爪15がメインカバー部材20の開口部25の下縁部25Aに内側から係止され、両者が固定される。このとき、図１０（Ａ）に示すように、ベース部材10のリブ14の切欠部14Aとメインカバー部材20の前板21切欠部21Aによって、メイン用カバー1Aの前面には略長方形の開口部が形成される。この開口部は、メイン用カバー1Aの内側に収納されるメイン側コネクタ接栓50に接続されているハーネス80をメイン用カバー1Aの外側に導出するハーネス通路16となる。なお、図１０（Ａ）は図９のＩ−Ｉ線断面図であり、図１０（Ｂ）は図９のII−II線断面図であり、図１０（Ｃ）は図９の平断面図である。
【００２６】
また、この状態では、図１０（Ｂ）及び（Ｃ）に示すように、メインカバー部材20の上板22の裏面に設けられた突起24Cが、ベース部材10の前板11と前側のリブ14の隙間に嵌り込み、突起24Bは後側のリブ14の後方に位置している。つまり、突起24B、24Cによって、リブ14を挟み込むような状態となる。これにより、リブ14の強度が保たれる。また、突起24Aは、ベース部材10の底板12に形成されている突条12Bの上方に位置するものとなる。突起24Aと突条12Bは、メインカバー部材20とベース部材10の間に収納されるメイン側コネクタ接栓50の凹部50B（図３参照）に係止され、メイン用カバー1Aを引き抜き不能とするためのものであるが、これについては後述する。
【００２７】
上記したように組み合わせ固定されたメインカバー部材20とベース部材10の固定を解除するには、係止爪15と開口部25との係合を解除すればよいものであるが、係止爪15はリブ14の長さ方向の端部に位置しているため、係止爪15を開口部25の外側から押圧しても、ベース部材10の側板13は変形しない。従って、固定を解除するためには、メインカバー部材20の方の側板23を外側に広げて変形させ、係止爪15を開口部25の下縁部25Aから外さなければならない。しかし、開口部25はメインカバー部材20の側板23と上板22の接合部付近に形成されているため、側板23を変形させても、係止爪15が開口部25の下縁部25Aから外れる前に側板23が折れてしまう。結局、メインカバー部材20を破壊するしかないということになる。
【００２８】
なお、メイン用カバー1Aをメイン基板ケース60に取り付ける場合には、メインカバー部材20とベース部材10の間にメイン側コネクタ接栓50を挟持させた状態でメインカバー部材20とベース部材10を固定し、これをメイン基板ケース60のコネクタ挿通孔63に嵌入するものであるが、これについては後述する。
（サブカバー部材30）
サブカバー部材30は、図１１に示すように、前板31と、上板32と、２つの側板33とを備えている。なお、図１１（Ａ）はサブカバー部材30を後方上側から見た斜視図であり、図１１（Ｂ）はサブカバー部材30を前方下側から見た斜視図であり、図１１（Ｃ）はサブカバー部材30を後方下側から見た斜視図である。
【００２９】
ここで、サブカバー部材30の前板31、側板33の形状は、メインカバー部材20と同様である。すなわち、前板31には切欠部31Aが形成されており、各側板33には、開口部35及び切欠部33Aが形成されている。従って、図１２に示すように、サブカバー部材30とベース部材10を組み合わせると、ベース部材10の側板13の段部13Aにサブカバー部材30の側板33の前側が嵌り込み、サブカバー部材30の側板33の切欠部33Aにベース部材10の側板13の突部13Cが噛み合うとともに、ベース部材10の係止爪15がサブカバー部材30の開口部35の下縁部35Aに係止され、両者が固定されるようになっている。なお、両者の固定解除方法はメインカバー部材20について説明したのと同様である。
【００３０】
サブカバー部材30は、上板32の形状が、メインカバー部材20と異なっている。すなわち、図１１（Ａ）に示すように、上板32は方形平板状に形成されている。これは、メイン基板ケース60のコネクタ挿通孔63とサブ基板ケース70のコネクタ挿通孔73の形状の差異に基づくものである。メイン基板ケース60のコネクタ挿通孔63は、図５に示すように、メイン側コネクタ接栓50が嵌合された状態でほとんど隙間が生じない幅に形成されているのに対し、サブ基板ケース70のコネクタ挿通孔73は、図６に示すように、サブ側コネクタ接栓51が嵌合された状態でサブ側コネクタ接栓51の上端とコネクタ挿通孔73の下縁との間に隙間が生じるようになっている。従って、サブカバー部材30によってこの隙間を塞ぐようにしたものである。
【００３１】
一方、上板32の裏面には、図１１（Ｂ）（Ｃ）に示すように、メインカバー部材20と同様の複数の突起34が形成されているが、この突起34の設置位置は、サブカバー部材30をベース部材10と組み合わせたときに、相対的に同一の位置となる箇所に設定されている。従って、サブカバー部材30とベース部材10を組み合わせると、図１３に示すように、突起34Cが、ベース部材10の前板11と前側のリブ14の隙間に嵌り込み、突起34Bは後側のリブ14の後方に位置し、突起34Aはベース部材10の突条12Bの上方に位置するようになっている。なお、図１３（Ａ）は図１２のIII−III線断面図であり、図１３（Ｂ）は図１２の平断面図である。
【００３２】
（コネクタカバー1の基板ユニット7への取り付け）
上記構成を有するコネクタカバー1の装着手順について、メイン用カバー1Aのメイン基板ケース60への取り付けを代表例として説明する。
（メイン用カバー1Aの取り付け）
まず、ベース部材10に、ハーネス80に接続されたメイン側コネクタ接栓50を、ハーネス80が前板11側になるようにセットする。このとき、底板12の突条12Bにメイン側コネクタ接栓50の突起50Aが引っかかるようにする。また、ハーネス80を、リブ14の切欠部14Aを通して前板11の切欠部11Aから導出させる。次に、メインカバー部材20を嵌め合わせ、メイン側コネクタ接栓50を挟持した状態で、開口部25に係止爪15を係止させてベース部材10とメインカバー部材20を固定する。リブ14の切欠部14Aの上にあるハーネス80はメインカバー部材20の前板21の切欠部21Aの下縁部及び側縁部によってハーネス通路16（図１０(Ａ)参照）でひとまとめにされ、ベース部材10及びメインカバー部材20の前板11,21の開口部11A、21Aから導出された状態となる。
【００３３】
一方、ベース部材10とメインカバー部材20を固定すると、メインカバー部材20の突起24Aがメイン側コネクタ接栓50の凹部50B（図３参照）に嵌り込み、突条12Bとともに、メイン側コネクタ接栓50の後方（前板11,21と反対の方向）への移動を規制する役割を果たすものとなる。一方、メイン側コネクタ接栓50の前方には、リブ14があるので、メイン側コネクタ接栓50は前方にも移動が規制される。従って、メイン側コネクタ接栓50は、ハーネス側に引っ張っても端子側に引っ張っても、ベース部材10とメインカバー部材20を固定したメイン用カバー1Aから外れないものとなる。
このようにして、メイン用カバー1Aを装着したメイン側コネクタ接栓50を、図５に示すように、メインカバー部材20がメイン基板ケース60の側面側に位置する向きで、メイン用カバー1Aの後方側（ベース部材10の舌片12Aのある側）からコネクタ挿通孔63に挿通させ、メイン側コネクタ接栓50をサブ用コネクタ接栓座40に嵌合させる。そうすると、図示しないコネクタロック機構（例えばロック爪と係止部）により、メイン側コネクタ接栓50はサブ用コネクタ接栓座40にロックされる。また、メイン用カバー1Aは前面側（ベース部材10とメインカバー部材20の前板11,21のある側）がメイン基板ケース60の表面から露出した状態となり、メイン側コネクタ接栓50を覆うとともにコネクタ挿通孔63の隙間を塞ぐ。
【００３４】
ここで、メイン用カバー1Aが装着されていない状態では、コネクタロック機構を操作してロック解除する（ロック爪と係止部の係合を外す）ことができる。一方、メイン用カバー1Aが装着されている場合には、コネクタロック機構を操作できないので、メイン側コネクタ接栓50を取り外すには、メイン用カバー1Aを取り外さなければならない。つまり、係止爪15を開口部25の下縁部25Aから外さなければならない。しかし前述したように、メイン用カバー1Aはメイン側コネクタ接栓50に取り外し不能に嵌着されているため、ハーネス80やメイン用カバー1Aを無理やり引っ張りコネクタロック機構を破壊するか、メイン用カバー1Aを破壊する以外に、メイン側コネクタ接栓50を取り外すことができない。メイン用カバー1Aを破壊すれば痕跡が残るため、不正な着脱が一目瞭然となる。また、コネクタロック機構を破壊した場合でも、メイン用カバー1Aをメイン側コネクタ接栓50から取り外せない以上、不正基板に接続された不正コネクタにはメイン用カバー1Aを取り付けることができないので、これも不正な着脱が一目瞭然となる。
【００３５】
なお、サブ用カバー1Bのサブ基板ケース70への取り付けは、上記したメイン用カバー1Aのメイン基板ケース60への取り付けと同一である。サブ用カバー1Bをコネクタ挿通孔73に挿通させる場合には、図６に示すように、サブカバー部材30がサブ基板ケース70の正面側に位置する向きで後方側から挿通させる。これにより、サブ用カバー1Bに固定されているサブ側コネクタ接栓51はメイン用コネクタ接栓座41にロックされる。また、サブ用カバー1Bは前面側（ベース部材10とサブカバー部材30の前板11,31のある側）がサブ基板ケース70の表面から露出した状態となり、サブ側コネクタ接栓51を覆うとともにコネクタ挿通孔73の隙間を塞ぐ。
【００３６】
（変形例）
ところで、ベース部材10を、図１４に示すような形状としてもよい。図１４は本実施の形態の変形例を示すもので、図１４（Ａ）はベース部材10'の斜視図、図１４（Ｂ）はベース部材10'の平面図である。ベース部材10'は、リブ14の切欠部14Aを方形状に形成するとともに、切欠部14Aの側縁部に、前方に突出する返し部14Bを設けたものである。
ここで、切欠部14Aは、ハーネス80を通過させるのに最低限必要な幅に形成されており、返し部14Bの突出側のエッヂｅの先端は鋭角に形成されている。このように形成した場合には、ベース部材10'を図１４（Ｂ）に示す白矢印の方向に引っ張り、挟持しているコネクタ接栓50,51を同図の黒矢印の方向に引っ張って、コネクタカバー1をコネクタ接栓50,51から取り外そうとしても、返し部14Bのエッヂｅがハーネス80に食い込んで、コネクタ接栓50,51の抜き取りをさらに困難なものにすることができる。
【００３７】
（総括）
以上のように、本実施の形態におけるコネクタカバー1は、ベース部材10とカバー部材（メインカバー部材20、サブカバー部材30）をコネクタ接栓（メイン用コネクタ接栓50、サブ用コネクタ接栓51）に嵌め殺しで固定し、コネクタ接栓とコネクタ接栓座とのコネクタロック機構を操作できないように保護するとともに、コネクタ挿通孔63,73の開口をコネクタカバー1で閉塞することができるようになっている。従って、いわゆるぶら下がり基板の取り付けなどの不正を防止することができる。
また、コネクタカバー1は、ベース部材10を共通部材として、基板ケースのコネクタ挿通孔の形状に応じたカバー部材を組み合わせ可能としてあるので、同一規格のコネクタ接栓を使用する場合には、コネクタ挿通孔の形状が異なっても、ベース部材10は変える必要がない。従って、コネクタカバー1の製造コストを抑制することができる。
【００３８】
さらに、カバー部材20,30は、いったんベース部材10に固定したら取り外し時には破壊するしかないのでいわば使い捨てであるが、ベース部材10は、その都度破壊する必要がないとともに、内部に設けたリブ14によって強度が補強されているので、再使用が可能である。これにより、さらなるコストダウンを図ることができる。
なお、本発明は、メイン基板ユニット7Aとサブ基板ユニット7Bに装着されるコネクタの保護だけでなく、その他の基板ユニットのコネクタ接続部分に応用することができる。この場合には、カバー部材を各基板ケースのコネクタ挿通孔の形状に合わせて設計し、ベース部材10を共通にして、それぞれの基板ケースのコネクタ挿通孔に合わせたカバー部材を用いるようにすればよい。
【００３９】
また、本発明は、スロットマシン以外の遊技機、例えばパチンコ遊技機の制御基板にも応用することができる。
【符号の説明】
【００４０】
S  スロットマシン（遊技機）         1  コネクタカバー
1A  メイン用カバー                  1B  サブ用カバー
2  筐体                             3  前扉
3A  正面パネル                      3B  上パネル
3C  下パネル                        3D  下皿
3E  メダル払い出し口
4  メダルセレクター                 5  操作部
5A  メダル投入口                    5B  ベットスイッチ
5C  スタートスイッチ                5D  ストップスイッチ
5E  精算スイッチ
6  リールユニット                  6A  回転リール
7  基板ユニット                    7A  メイン基板ユニット
7B  サブ基板ユニット
8  ホッパーユニット                 9  演出装置
10  ベース部材                      11  前板
12  底板                            13  側板
14  リブ                            15  係止爪
16  ハーネス通路
20  メインカバー部材(第一カバー部材)21  前板
22  上板                            23  側板
24  突起                            25  開口部
30  サブカバー部材(第二カバー部材)  31  前板
32  上板                            33  側板
34  突起                            35  開口部
40  サブ用コネクタ接栓座(第一コネクタ接栓座)
41  メイン用コネクタ接栓座(第二コネクタ接栓座)
50  メイン側コネクタ接栓(コネクタ接栓)
51  サブ側コネクタ接栓(コネクタ接栓)
60  メイン基板ケース(第一基板ケース)61  正面ケース
62  背面ケース                      63  コネクタ挿通孔（第一挿通孔）
70  サブ基板ケース(第二基板ケース)  71  正面ケース
72  背面ケース                      73  コネクタ挿通孔（第二挿通孔）
80  ハーネス                        90  図柄表示窓
100 メイン基板(第一基板)            110 サブ基板(第二基板)
【図１】
2012120558.tif 000003
【図２】
2012120558.tif 000004
【図３】
2012120558.tif 000005
【図４】
2012120558.tif 000006
【図５】
2012120558.tif 000007
【図６】
2012120558.tif 000008
【図７】
2012120558.tif 000009
【図８】
2012120558.tif 000010
【図９】
2012120558.tif 000011
【図１０】
2012120558.tif 000012
【図１１】
2012120558.tif 000013
【図１２】
2012120558.tif 000014
【図１３】
2012120558.tif 000015
【図１４】
2012120558.tif 000016